(57)【要約】【課題】  本発明は情報記録用紙、例えばＲＦＩＤタグが埋め込まれた記録用紙を使用する複合機に関し、特に本発明は面倒な作業を行う必要がなく、複合機内に複雑な回路を埋め込む必要がない情報記録装置を使用する印刷装置を提供するものである。【解決手段】  本発明はＲＦＩＤタグが付加された用紙を使用し、ＲＦＩＤタグに記憶されたプリンタ設定条件を読み出し、当該設定条件に基づいて複合機の各部を設定し、印刷処理を行う構成であり、このように構成することにより、複合機の設定をユーザ等がマニュアル操作によって行う必要がなく、特別な用紙を使用する際にもサービスマンによるメンテナンスを必要としない情報記録用紙を使用する印刷装置を提供するものである。【選択図】  図１
2006281525.tif 000002
【特許請求の範囲】
【請求項１】
記録情報をＩＣタグ付き用紙に印刷する印刷機能と、印刷された前記用紙を原稿として使用する機能を備える印刷装置において、
前記ＩＣタグに記録された印刷設定情報を読み出す読出手段と、
前記印刷設定情報に基づいて、装置内の各部を対応する状態に設定する設定手段と、
該設定に基づいて、前記ＩＣタグ付き用紙に印刷を行う印刷手段と、
を有することを特徴とする情報記録用紙を使用する印刷装置。
【請求項２】
前記原稿として使用する機能は、複写機能、ファクシミリ機能、印刷機能であることを特徴とする請求項１記載の情報記録用紙を使用する印刷装置。
【請求項３】
記録情報をＩＣタグ付き用紙に印刷する印刷機能と、印刷された前記用紙を原稿として使用する機能を備える印刷装置において、
前記記録情報に対応する制御情報を入力する入力手段と、
ＩＣタグ付き用紙にデータを印刷する際、前記制御情報を前記ＩＣタグに書き込む書込手段と、
を有することを特徴とする情報記録用紙を使用する印刷装置。
【請求項４】
記録情報をＩＣタグ付き用紙に印刷する印刷機能と、印刷された前記用紙を原稿として使用する機能を備える印刷装置において、
原稿データ読み取り時、前記ＩＣタグの情報を読み取る読取手段と、
前記ＩＣタグに書き込まれた制御情報に対応する処理を行う制御手段と、
を有することを特徴とする情報記録用紙を使用する印刷装置。
【請求項５】
記録情報をＩＣタグ付き用紙に印刷する印刷機能と、印刷された前記用紙を原稿として使用する機能を備える印刷装置において、
前記記録情報に対応する制御情報を入力する入力手段と、
ＩＣタグ付き用紙にデータを印刷する際、前記制御情報を前記ＩＣタグに書き込む書込手段と、
原稿データ読み取り時、前記ＩＣタグの情報を読み取る読取手段と、
前記ＩＣタグに書き込まれた制御情報に対応する処理を行う制御手段と、
を有することを特徴とする情報記録用紙を使用する印刷装置。
【発明の詳細な説明】
【技術分野】
【０００１】
本発明は情報記録用紙、例えばＲＦＩＤタグ（Radio Frequency ＩＤタグ）（以下、ＩＣタグとも表記する）が埋め込まれた記録用紙を使用する印刷装置に関する。
【背景技術】
【０００２】
従来、複写装置の各種設定はユーザやオペレータのマニュアル操作によって行われていた。例えば、用紙のサイズの選択、用紙の厚さ、インクの濃度、複写画像の縮尺等の設定はマニュアルで設定されていた。また、メーカがサポートを行う特殊紙の場合、メーカのサービスマンがオペレーションパネルを操作し、装置内の設定を行っていた。
【０００３】
尚、特許文献１には印字用紙にＲＦＩＤタグを設け、ＲＦＩＤタグに記録されたＩＤを確認してファクシミリ送信を行わせる発明が開示されている。
【特許文献１】特開２００２−３３７４２６号公報
【発明の開示】
【発明が解決しようとする課題】
【０００４】
しかしながら、従来の装置ではユーザやオペレータが設定した状態で複写処理を行っても最適な印刷を行うことができない場合、何度も設定をし直さなければならず、面倒な作業であった。また、特殊紙の設定を行う場合、複写機内の回路設定等を行う必要があり煩雑な作業が必要であった。
【０００５】
そこで、本発明は装置の各種設定情報が記録されたＲＦＩＤタグ付き印字用紙を使用することによって面倒な作業を行う必要がない印刷装置を提供するものである。
【課題を解決するための手段】
【０００６】
上記課題は本発明によれば、記録情報をＩＣタグ付き用紙に印刷する印刷機能と、印刷された前記用紙を原稿として使用する機能を備える印刷装置において、前記ＩＣタグに記録された印刷設定情報を読み出す読出手段と、前記印刷設定情報に基づいて、装置内の各部を対応する状態に設定する設定手段と、該設定に基づいて、前記ＩＣタグ付き用紙に印刷を行う印刷手段とを有する情報記録用紙を使用する印刷装置を提供することによって達成できる。
【０００７】
このように構成することにより、ユーザ等による印刷装置の設定処理を自動的に行うことができ、極めて便利な印刷装置とすることができる。
また、上記原稿として使用する機能は、例えば複写機能、ファクシミリ機能、印刷機能である。
【０００８】
上記課題は本発明によれば、記録情報をＩＣタグ付き用紙に印刷する印刷機能と、印刷された前記用紙を原稿として使用する機能を備える印刷装置において、前記記録情報に対応する制御情報を入力する入力手段と、ＩＣタグ付き用紙にデータを印刷する際、前記制御情報を前記ＩＣタグに書き込む書込手段と、を有する情報記録用紙を使用する印刷装置を提供することによって達成できる。
【０００９】
このように構成することにより、複写制御条件や、合成印刷条件、ＦＡＸ送信条件、ＦＡＸ受信条件等の制御条件を記録し、当該用紙を使用して複写処理やＦＡＸ送信を行う際、ＲＦＩＤタグに記憶した上記制御条件を利用することができる。
【００１０】
上記課題は本発明によれば、記録情報をＩＣタグ付き用紙に印刷する印刷機能と、印刷された前記用紙を原稿として使用する機能を備える印刷装置において、原稿データ読み取り時、前記ＩＣタグの情報を読み取る読取手段と、前記ＩＣタグに書き込まれた制御情報に対応する処理を行う制御手段とを有する情報記録用紙を使用する印刷装置を提供することによって達成できる。
【００１１】
このように構成することによっても、複写制御条件や、合成印刷条件、ＦＡＸ送信条件、ＦＡＸ受信条件等の制御条件を記録し、当該用紙を使用して複写処理やＦＡＸ送信を行う際、ＲＦＩＤタグに記憶した上記制御条件を利用することができる。
【発明の効果】
【００１２】
本発明によれば、ユーザ等による印刷装置の設定処理を自動的に行うことができ、極めて便利な印刷装置とすることができる。
また、ＲＦＩＤに各種複写制御条件を設定し、当該用紙を使用して複写処理やＦＡＸ送信を行う際、ＲＦＩＤタグに記憶した上記制御条件を利用することができる。
【発明を実施するための最良の形態】
【００１３】
以下、本発明の実施の形態を図面を参照しながら説明する。
（実施形態１）
図１は本発明の多機能印刷装置（以下、複合機で示す）１の外観図である。
【００１４】
同図において、複合機１には下方に３段の給紙カセット１ａ〜１ｃが設けられ、その上部には排紙部２が設けられている。また、複合機１の正面には、オペレーションパネルＡが設けられている。更に、複合機１の上部には給紙トレイ１ｄが配設されている。
【００１５】
一方、ＲＦＩＤタグが埋め込まれた用紙Ｐは、給紙カセット１ａ〜１ｃ又は給紙トレイ１ｄに収納される。用紙Ｐに埋め込まれたＲＦＩＤタグには当該用紙に関する情報、例えば紙種、用紙サイズなどの情報が書き込まれている。この用紙ＰをＲＦＩＤタグの読み取り機能を持つ複合機１の給紙カセット１ａ〜１ｃまたは給紙トレイ１ｄにセットする。
【００１６】
尚、ＲＦＩＤタグには、更に用紙の種類に適したトナー情報や、用紙サイズに適した排紙位置情報、両面印刷可否情報、フィニッシャ装置によるパンチ処理の可否情報など、当該用紙Ｐに応じた情報が記憶されている。
【００１７】
図２は、上記複合機１の内部システムを示す図である。同図に示すように、スキャナ部３は読取機構部３ａ及びＲＦＩＤ識別部３ｂ有し、読取機構部３ａの駆動により原稿トレイに載置された原稿が読み取られ、ＭＦＰメイン部４に原稿データが送信される。また、ＲＦＩＤ識別部３ｂは、読取機構部３ａにより読み取られる原稿の用紙に設けられたＲＦＩＤタグを識別し、ＲＦＩＤタグに記録された原稿設定情報を読み出す機能を有する。
【００１８】
ＭＦＰメイン部４は、ＦＡＸ通信制御部７、及びＭＦＰ制御部１０、読取機構制御部１１、表示操作制御部１２、ＬＡＮ通信制御部１３、インターネット通信制御部１４、記憶装置制御部１５、及び記憶装置部（ＨＤＤ）１６で構成されている。
【００１９】
読取機構制御部１１は、前述のスキャナ部３に設けられた読取機構部３ａの機構制御を行い、スキャナ部３で読み取られた原稿データはＭＦＰ制御部１０に送られる。
表示操作制御部１２は、表示操作部１８に設けられたキー等の操作に基づく操作信号をＭＦＰ制御部１０に出力する。また、ＭＦＰ制御部１０から出力される表示データを表示操作部１８に表示する。
【００２０】
また、本例の複合機１は公衆回線網に接続され、ＦＡＸ通信制御部７によってファクシミリ通信が行われる。また、ＬＡＮ通信制御部１３は本例の複合機１をＬＡＮに接続する為のインターフェイスであり、インターネット通信制御部１４はTCP/IP（transmission control protocol  /internet protocol）等を使用してルータ２を介してネットワーク通信を行う。
【００２１】
記憶装置制御部１５は、記憶装置部（ＨＤＤ）１６へのデータ書き込み、及び記憶装置部（ＨＤＤ）１６に記憶されたデータの読み出し制御を行う。
一方、プリンタ部５はプリンタ制御部１９、印刷機構部２０で構成され、プリンタ制御部１９の制御処理に基づいて印刷結果を出力する。印刷機構部２０には、印刷結果を排出する排紙部があり、その用紙搬送路にＲＦＩＤ書込部２０ａが配設されている。このＲＦＩＤ書込部２０ａは、ＰＰＲ制御部を経由してＭＦＰ制御部１０から送られてくる制御条件、即ち複写制御条件、合成印刷条件、ＦＡＸ送信条件、ＦＡＸ受信条件、読取制限条件、プリント条件などの情報を印刷結果の用紙に埋め込まれているＲＦＩＤタグに書き込むことができる。尚、印刷機構部２０はプリンタを構成する画像形成部や現像部、転写部等の機構制御を行う。
【００２２】
また、給紙装置２１は前述の給紙カセット１ａ〜１ｃ及び給紙トレイ１ｄを含む意味であり、これら給紙カセット１ａ〜１ｃ及び給紙トレイ１ｄ近傍に設けられたロール等を含む機構である。ＲＦＩＤ識別部２２は、前述の用紙Ｐに設けられたＲＦＩＤタグを識別し、ＲＦＩＤタグに記録された印刷設定情報を読み出す機能を有する。
【００２３】
尚、上記複合機１はＬＡＮを介してクライアントＰＣに接続されている。
以上の構成において、以下に本例の処理動作を説明する。
図３は本例の処理動作を説明する基本的なフローチャートである。先ず、給紙カセット１ａ〜１ｃに収納された用紙ＰがＲＦＩＤタグ付き用紙であるか判断する（ステップ（以下、Ｓで示す）ｌ）。ここで、用紙ＰがＲＦＩＤタグ付き用紙ではない場合（Ｓ１がＮО）、通常の印刷処理を行う。一方、用紙ＰがＲＦＩＤタグ付き用紙である場合（Ｓ１がＹＥＳ）、印刷設定情報の読み取り処理を行う（Ｓ２）。この印刷設定情報の読み取り処理は、前述のＲＦＩＤ識別部２２によって行われる。
【００２４】
次に、上記処理によって読み出した印刷設定情報に基づいてプリンタ設定処理を行う（Ｓ３）。このプリンタ設定処理は、紙種や、用紙サイズ等に基づく複合機１の各種設定処理であり、後に詳しく説明する。その後、プリンタ設定処理によって各種設定が行われた複合機１によって印刷処理が行われる（Ｓ４）。以下、上記プリンタ設定処理を説明する。
【００２５】
図４はプリンタ設定処理（Ｓ３）の一例であり、紙種情報に基づくプリンタ設定処理の例を説明するフローチャートである。先ず、ＲＦＩＤタグの情報に紙種設定が行われるか判断する（Ｓ５）。ここで、紙種設定（Ｓ５）が行われていなければ（Ｓ５がＮО）、処理を終了する。一方、紙種設定が行われた場合（Ｓ５がＹＥＳ）、当該紙種設定がＯＨＰ用紙であるか判断する（Ｓ６）。
【００２６】
ここで、ＯＨＰ用紙であると判断された場合（Ｓ６がＹＥＳ）、紙種をＯＨＰ用紙に設定し、例えば給紙位置を給紙カセット１ａに設定する（Ｓ８）。また、排紙位置を排紙部２に設定する（Ｓ９）。
【００２７】
一方、紙種がＯＨＰ用紙ではない場合（Ｓ６がＮО）、紙種が封筒か判断する（Ｓ１０）。ここで、紙種が封筒であると判断すると（Ｓ１０がＹＥＳ）、紙種設定は封筒となる（Ｓ１１）。また、給紙位置は、例えば給紙カセット１ｂに設定され（Ｓ１２）、排紙位置は排紙部２に設定される（Ｓ１３）。
【００２８】
一方、紙種が封筒ではない場合（Ｓ１０がＮО）、紙種が厚紙であるか判断する（Ｓ１４）。ここで、紙種が厚紙の場合（Ｓ１４がＹＥＳ）、紙種は厚紙に設定される（Ｓ１５）。尚、紙種が厚紙であると判断されない場合（Ｓ１４がＮО）、紙種に関する設定を終了する。
【００２９】
また、図５は上記プリンタ設定処理（Ｓ３）において、用紙サイズに関する処理を説明するフローチャートである。先ず、ＲＦＩＤタグの情報に用紙サイズの設定があるか判断する（Ｓ１６）。ここで、用紙サイズの設定がない場合（Ｓ１６がＮＯ）、この設定処理は行わない。
【００３０】
一方、用紙サイズの設定がある場合（Ｓ１６がＹＥＳ）、用紙Ｐが長尺紙であるか判断する（Ｓ１７）。ここで、用紙Ｐが長尺紙と判断された場合（Ｓ１７がＹＥＳ）、印刷用紙が長尺紙である設定が行われる（Ｓ１８）。また、解像度は例えば３００ｄｐｉに設定され（Ｓ１９）、給紙位置は給紙カセット１ｃに設定され（Ｓ２０）、排紙位置は排紙部２に設定される（Ｓ２１）。
【００３１】
一方、用紙Ｐが長尺紙でないと判断された場合（Ｓ１７がＮО）、用紙Ｐがフリー用紙であるか判断する（Ｓ２２）。ここで、用紙Ｐがフリー用紙であると判断された場合（Ｓ２２がＹＥＳ）、用紙幅をｘｘｘｍｍ、用紙長をｙｙｙｍｍが設定し（Ｓ２３）、用紙Ｐがｙｙ１ｍｍより長いか判断する（Ｓ２４）。
【００３２】
ここで、用紙Ｐがｙｙ１ｍｍより長い場合（Ｓ２４がＹＥＳ）、例えば給紙位置を給紙カセット１ａに設定し（Ｓ２５）、排紙位置を排紙部２に設定する（Ｓ２６）。一方、用紙Ｐがｙｙ１ｍｍより短い場合（Ｓ２４がＮО）、用紙Ｐはｙｙ２ｍｍより短いか判断する（Ｓ２７）。ここで、用紙Ｐがｙｙ２ｍｍより短い場合（Ｓ２７がＹＥＳ）、例えば給紙位置を給紙カセット１ｃに設定し（Ｓ２８）、排紙位置を排紙部２に設定する（Ｓ２９）。尚、この場合紙種は、例えば封筒設定になる（Ｓ３０）。
【００３３】
次に、図６は上記プリンタ設定処理（Ｓ３）において、エンジンパラメータの設定に関する処理を説明するフローチャートである。先ず、ＲＦＩＤタグの情報にエンジンパラメータの設定があるか判断する（Ｓ３１）。ここで、エンジンパラメータの設定が行われていない場合（Ｓ３１がＮО）、処理を終了する。一方、エンジンパラメーターの設定が行われる場合（Ｓ３１がＹＥＳ）、パラメータファイルの読み込み処理が行われ（Ｓ３２）、当該エンジンパラメータの設定処理が行われる（Ｓ３３）。
【００３４】
次に、図７は上記プリンタ設定処理（Ｓ３）において、トナー情報に関する処理を説明するフローチャートである。先ず、トナー情報の設定が行われているか判断する（Ｓ３４）。ここで、トナー情報の設定が行われない場合（Ｓ３４がＮО）、処理を終了する。一方、トナー情報の設定が行われる場合（Ｓ３４がＹＥＳ）、光沢トナーの設定が行われているか判断する（Ｓ３５）。ここで、光沢トナーの設定が行われない場合（Ｓ３５がＮО）、処理を終了する。一方、光沢トナーの設定が行われる場合（Ｓ３５がＹＥＳ）、トナー切り替え、又は交換メッセージの表示処理を行い、光沢トナーに対応する複合機１の機能設定を行う（Ｓ３６）。
【００３５】
次に、図８は上記プリンタ設定処理（Ｓ３）において、紙厚に関する処理を説明するフローチャートである。先ず、紙厚の設定が行われているか判断する（Ｓ３７）。ここで、紙厚の設定が行われていない場合（Ｓ３７がＮО）、処理を終了する。一方、紙厚の設定が行われている場合（Ｓ３７がＹＥＳ）、紙厚チェック規格範囲外であるか判断する（Ｓ３８）。
【００３６】
ここで、範囲外でない場合（Ｓ３８がＮО）、処理を終了する。一方、範囲外である場合（Ｓ３８がＹＥＳ）、両面印刷を実行するか判断する（Ｓ３９）。ここで両面印刷を実行しない場合（Ｓ３９がＮО）、パンチ処理を実行するか判断する（Ｓ４１）。パンチ処理も実行しない場合（Ｓ４１がＮО）、パンチ処理をオフ、又はパンチ処理不可警告メッセージを表示する（Ｓ４２）。一方、パンチ処理を実行する場合（Ｓ４１がＹＥＳ）、パンチ処理を行う状態で、そのまま処理を終了する。
【００３７】
次に、図９は上記プリンタ設定処理（Ｓ３）において、両面印刷可否に関する処理を説明するフローチャートである。先ず、両面印刷可否の設定が行われるか判断する（Ｓ４３）。ここで、両面印刷可否の設定が行われない場合（Ｓ４３がＮО）、処理を終了する。一方、両面印刷可否の設定が行われる場合（Ｓ４３がＹＥＳ）、両面印刷を実行するか判断する（Ｓ４４）。ここで、両面印刷を実行する場合（Ｓ４４がＹＥＳ）、処理を終了する。一方、両面印刷を実行しない場合（Ｓ４４がＮＯ）、両面印刷をオフ又は両面印刷不可警告メッセージを表示する（Ｓ４５）。
【００３８】
以上のように、本例によればＲＦＩＤタグに紙種や用紙サイズ等の各種印刷設定情報を記憶させておくことにより、ＲＦＩＤタグが付加された用紙を使用して印刷する際、ユーザやオペレータが各種設定を行うことなく、ＲＦＩＤタグから必要な情報を読み出して複合機１の印刷設定を自動的に行うことができる。
【００３９】
尚、このようなＲＦＩＤタグに書き込まれる情報は、予め専用紙として製造時に書き込まれているか、用紙を購入したユーザサイドで利用状況に合わせた所望の情報をツールによってタグに書き込む方式であってもよい。
（実施形態２）
次に、本発明の実施形態２について説明する。
【００４０】
本例は用紙に原稿画像を書き込む際、当該原稿を使用して複写作業を行う複写制限や合成印刷条件等をＲＦＩＤタグに記憶され、複写時ＲＦＩＤタグに記憶した情報に基づく処理を行わせる構成である。以下、具体的に説明する。
【００４１】
図１０は原稿作成時の処理を説明するフローチャートである。先ず、複合機１を操作し制御条件入力操作を行う（ステップ（以下、ＳＴで示す）１）。ここで、制御条件とは、例えば複写制御条件や、合成印刷条件、ファクシミリ（以下、ＦＡＸで示す）送信条件、ＦＡＸ受信条件、読取制限条件、プリント条件等である。尚、複写制御条件としては、例えばＩＤを使用し、特定の社員や役員等のみに複写を許可する等の条件である。また、合成印刷条件としては特定のフォームデータを合成印刷させる等の条件である。
【００４２】
次に、上記制御条件を前述の記憶装置部（ＨＤＤ）１６に記憶する（ＳＴ２）。そして、複合機１にＲＦＩＤタグが付与された用紙Ｐを供給し、画像データを印刷し（ＳＴ３）、上記制御条件を記憶装置部（ＨＤＤ）１６から読み出し、ＲＦＩＤ書込部２０ａによって印刷結果をＲＦＩＤタグに書き込む（ＳＴ４）。
【００４３】
このように構成することにより、ＲＦＩＤタグには複写制御条件や、合成印刷条件、ＦＡＸ送信条件、ＦＡＸ受信条件等の条件が記録され、当該用紙を使用して複写処理やＦＡＸ送信を行う際、利用されることになる。
【００４４】
次に、利用時の処理を図１１に示すフローチャートを使用して説明する。
先ず、原稿トレイに上述の順番で作成された原稿を載置し、前述のスキャナ部３を操作して原稿画像を読み取る（ＳＴ５）。この時、ＲＦＩＤ識別部３ｂがＲＦＩＤタグに記憶された制御条件の情報も読み出す（ＳＴ６）。そして、このＲＦＩＤタグから読み取られた制御条件及びその情報に対応して記憶装置部１６に登録されている情報に従って複写処理やＦＡＸ処理を行う（ＳＴ７、ＳＴ８）。
【００４５】
例えば、前述の複写制御条件が記憶され、特定のＩＤ所有者のみが当該原稿の複写処理を行える場合、ＩＤの入力がなければ複写を禁止する。また、ＦＡＸ送信する場合には前述のＦＡＸ送信条件を読み出し、上記条件に従った送信処理を行う。また、合成印刷条件の指定があれば、対応して予め記憶装置部１６に登録されている情報を原稿と合成して複写やファクシミリ送信を行うことができる。
【００４６】
以上のように、ＲＦＩＤタグには複写制御条件や、合成印刷条件、ＦＡＸ送信条件、ＦＡＸ受信条件等の制御条件が記録され、当該用紙を使用して複写処理やＦＡＸ送信を行う際、ＲＦＩＤタグに記憶した上記制御条件を使用して複写処理やＦＡＸの送受信処理を行うことができる。
【図面の簡単な説明】
【００４７】
【図１】実施形態の説明で使用する複合機の外観図である。
【図２】複合機の内部システムを示す図である。
【図３】本例の処理動作を説明する基本的なフローチャートである。
【図４】プリンタ設定処理において、紙種情報に関する処理を説明するフローチャートである。
【図５】プリンタ設定処理において、用紙サイズに関する処理を説明するフローチャートである。
【図６】プリンタ設定処理において、エンジンパラメータに関する処理を説明するフローチャートである。
【図７】プリンタ設定処理において、トナー情報に関する処理を説明するフローチャートである。
【図８】プリンタ設定処理において、紙厚に関する処理を説明するフローチャートである。
【図９】プリンタ設定処理において、両面印刷可否の設定に関する処理を説明するフローチャートである。
【図１０】実施形態２の処理を説明するフローチャートである。
【図１１】実施形態２の処理を説明するフローチャートである。
【符号の説明】
【００４８】
１・・・複合機
１ａ、１ｂ、１ｃ・・・給紙カセット
１ｄ・・・給紙トレイ
２・・・排紙部
３・・・スキャナ部
３ａ・・・読取機構部
３ｂ・・・ＲＦＩＤ識別部
４・・・オペレーションパネル
５・・・給紙トレイ
７・・・ＦＡＸ通信制御部ピン
９・・・ピン可動機構
１０・・・ＭＦＰ制御部
１１・・・読取機構制御部
１２・・・表示操作制御部
１３・・・ＬＡＮ通信制御部
１４・・・インターネット通信制御部
１５・・・記憶装置制御部
１６・・・記憶装置部（ＨＤＤ）
１８・・・表示操作部
１９・・・ＰＰＲ制御部
２０・・・印刷機構部
２０ａ・・・ＲＦＩＤ書込部
２１・・・給紙装置
２２・・・ＲＦＩＤ識別部
【図２】
2006281525.tif 000003
【図３】
2006281525.tif 000004
【図４】
2006281525.tif 000005
【図５】
2006281525.tif 000006
【図６】
2006281525.tif 000007
【図７】
2006281525.tif 000008
【図８】
2006281525.tif 000009
【図９】
2006281525.tif 000010
【図１０】
2006281525.tif 000011
【図１１】
2006281525.tif 000012
【図１】
2006281525.tif 000013